(57)【要約】【課題】容易、かつ、手早く開封できる棒状食品用包装体を安価で提供する。【解決手段】シート状食品２を巻き付けて食す棒状食品３の包装部材として、前記シート状食品２を収納した状態で前記棒状食品３に巻装する分断可能な袋状体１、及び、両端耳片部４ａにより前記棒状食品３の両端部を包み込む帯状体４を備える棒状食品用包装体であって、前記袋状体１に収納した前記シート状食品２と前記袋状体１の外側面状部５との間に前記帯状体４を介装し、その帯状体４の両端耳片部４ａを前記袋状体１の外部へ延出させてある。【選択図】        図４
2004290059.tif 000002
【特許請求の範囲】
【請求項１】
シート状食品を巻き付けて食す棒状食品の包装部材として、前記シート状食品を収納した状態で前記棒状食品に巻装する分断可能な袋状体、及び、両端耳片部により前記棒状食品の両端部を包み込む帯状体を備える棒状食品用包装体であって、
前記袋状体に収納した前記シート状食品と前記袋状体の外側面状部との間に前記帯状体を介装し、その帯状体の両端耳片部を前記袋状体の外部へ延出させてある棒状食品用包装体。
【請求項２】
前記袋状体の内側面状部を、袋状体分断時において相互離間させる２つの分割部分で形成してある請求項１記載の棒状食品用包装体。
【請求項３】
前記内側面状部を形成する前記分割部分の分割縁部に、前記棒状食品の側へ折り返した状態で、前記分割部分の本体部と前記棒状食品との間に介在させる折り返し部を形成してある請求項２記載の棒状食品用包装体。
【請求項４】
前記帯状体を、前記外側面状部とは非連結の状態で、袋状体分断時における前記外側面状部の分断予定箇所に対し重ね合わせる状態に配置してある請求項１〜３のいずれか１項に記載の棒状食品用包装体。
【請求項５】
前記帯状体を、袋状体分断時における前記外側面状部の一方側の分断部分に連結した状態で、袋状体分断時における前記外側面状部の分断予定箇所に対し重ね合わせる状態に配置してある請求項１〜３のいずれか１項に記載の棒状食品用包装体。
【請求項６】
袋状体分断時において前記外側面状部における分断予定部分を切り取るための切取手段を前記外側面状部に装備し、
前記帯状体を、前記分断予定部分に連結した状態で、袋状体分断時における前記外側面状部の分断予定箇所に対し重ね合わせる状態に配置してある請求項１〜３のいずれか１項に記載の棒状食品用包装体。
【請求項７】
請求項２又は３に記載した棒状食品用包装体の開封方法であって、
前記内側面状部を形成する前記２つの分割部分の分割線方向に沿う分断線方向で前記袋状体の外側面状部を分断して、前記袋状体を相互離間が自在な２つの分断部分に分断する第１ステップと、
これら分断部分を保持した状態で前記棒状食品の重量を前記袋状体の分断箇所に課すことにより、前記２つの分断部分を相互離間させて、その離間に伴い露出する前記シート状食品との接触状態で前記棒状食品を取り出す第２ステップとを有する棒状食品用包装体の開封方法。
【請求項８】
シート状食品を巻き付けて食す棒状食品に対し、前記シート状食品を収納した分断可能な袋状体を巻装するとともに、その棒状食品の両端部を帯状体の両端耳片部により包み込んである包装棒状食品であって、
前記袋状体に収納した前記シート状食品と前記袋状体の外側面状部との間に前記帯状体を介装して、その帯状体の前記両端耳片部を前記袋状体の外部へ延出させた状態で、前記袋状体の内側面状部に対し前記棒状食品を当て付け、
その当て付け状態で、前記袋状体を前記棒状食品に巻装するとともに、前記棒状食品の両端部を前記両端耳片部により包み込んである包装棒状食品。
【請求項９】
前記袋状体の内側面状部を、袋状体分断時において相互離間させる２つの分割部分で形成するとともに、これら分割部分の分割縁部に前記棒状食品の側への折り返し部を形成しておき、
前記当て付け状態において、この折り返し部を前記分割部分の本体部と前記棒状食品との間に介在させてある請求項８に記載の包装棒状食品。
【発明の詳細な説明】
【０００１】
【発明の属する技術分野】
本発明は、棒状食品用包装体、及び、その開封方法、並びに、包装棒状食品に係り、詳しくは、シート状食品を巻き付けて食す棒状食品の包装部材として、シート状食品を収納した状態で棒状食品に巻装する分断可能な袋状体、及び、両端耳片部により棒状食品の両端部を包み込む帯状体を備える棒状食品用包装体、及び、その開封方法、
並びに、シート状食品を巻き付けて食す棒状食品に対し、シート状食品を収納した分断可能な袋状体を巻装するとともに、その棒状食品の両端部を帯状体の両端耳片部により包み込む包装棒状食品に関する。
【０００２】
【従来の技術】
従来、この種の棒状食品用包装体、並びに、包装棒状食品の製造方法においては、図９及び図１０に示すように、シート状食品２２を収納した袋状体２１と棒状食品２３との間に帯状体２４を介在させた状態で袋状体２１を棒状食品２３に巻装し、そして、その巻装部分から延出させた帯状体２４の両端耳片部により棒状食品２３の両端部を包み込むようにしていた（例えば、特許文献１参照。）。
【０００３】
なお、この図９及び図１０に示す例では、袋状体２１の外側面状部２５にそれを分断するカットテープ２５Ａを装備するとともに、袋状体２１の内側面状部２６を袋状体分断時において相互離間させる２つの分割部分２６Ａで形成してあり、これに対し、袋状体（具体的には、袋状体２１の内側面状部２６）と棒状食品２３との間に介在させる帯状体２４は、内側面状部２６を形成する２つの分割部分２６Ａのそれぞれに溶着や接着等２７により連結した状態で、袋状体２１の分断予定箇所（つまり、外側面状部２５におけるカットテープ２５Ａの装備箇所、及び、内側面状部２６の分割箇所）に対し重ね合わせる状態に配置し、その帯状体２４には、それを分断するための線状の切込み２４ａを形成してある。
【０００４】
また、この例とは別に、図１１及び図１２に示すように、シート状食品３２を収納した袋状体３１の外面側に帯状体３４を溶着や接着等３７により付設した状態で、その袋状体３１を棒状食品３３に巻装するとともに、帯状体３４の両端耳片部により棒状食品３３の両端部を包み込むようにした例もある。
【０００５】
なお、この図１１及び図１２に示す例では、袋状体３１の外側面状部３５にそれを分断するカットテープ３５Ａを装備するとともに、袋状体３１の内側面状部３６を袋状体分断時において相互離間させる２つの分割部分３６Ａで形成するのに対し、袋状体３１の外面側（具体的には、外側面状部３５の外面）に付設する帯状体３４は、袋状体分断時における外側面状部３５の２つの分断部分のそれぞれに溶着や接着等３７により連結した状態で、袋状体３１の分断予定箇所（つまり、外側面状部３５におけるカットテープ３５Ａの装備箇所、及び、内側面状部３６の分割箇所）に対し重ね合わせる状態に配置してある。
【０００６】
【特許文献１】
特開２０００−３２５０３４号公報
【０００７】
【発明が解決しようとする課題】
しかし、図９及び図１０に示す前者の従来例では、内側面状部２６を形成する２つの分割部分２６Ａのそれぞれに帯状体２４を連結するとともに、帯状体２４を分断するための線状の切込み２４ａを帯状体２４に形成してあることから、カットテープ２５Ａにより袋状体２１を２つに分断した状態で、それら分断部分を引き離し操作により相互離間させれば、その離間に伴い帯状体２４も分断されることで、棒状食品２３を容易にシート状食品２２との接触状態で取り出しえるものの、内側面状部２６を形成する２つの分割部分２６Ａのそれぞれに対し帯状体２４を溶着や接着等２７により連結し、かつ、帯状体２４に線状の切込み２４ａを形成する必要があることから、包装体の製作に手間がかかるとともに、製作コストが嵩む問題があった。
【０００８】
なお、線状の切込み２４ａのない帯状体２４を用いて、その帯状体２４を内側面状部２６の２つの分割部分２６Ａとは非連結の状態で、単に袋状体２１と棒状食品２３との間に介在させるだけでは、袋状体２１を分断してシート状食品２２を露出させた際に、帯状体２４がシート状食品２２と棒状食品２３との間に存在する状態になって、シート状食品２２と棒状食品２３との間から帯状体２４を取り除くのに手間を要し、開封操作が煩雑になる問題が生じる。
【０００９】
一方、図１１及び図１２に示す後者の従来例は、外側面状部３５に帯状体３４を連結してあることから、先ず帯状体３４を外側面状部３５から取り除き、その上で、カットテープ３５Ａにより袋状体３１を２つに分断した状態で、それら分断部分を引き離し操作により相互離間させれば、棒状食品３３をシート状食品３２との接触状態で取り出しえるものの、図９及び図１０に示す従来例に比べれば、多少、開封に手間を要し、また両端耳片部により棒状食品３３の両端部を包み込む帯状体３４を、袋状体３１の外面側に付設するため、帯状体３４が袋状体３１から不測に剥がれ易く、棒状食品３３の両端部が開封前に露出してしまう恐れがある。
【００１０】
この実情に鑑み、本発明の主たる課題は、合理的な改良をもって上記問題を効果的に解消する点にある。
【００１１】
【課題を解決するための手段】
〔１〕請求項１に係る発明は棒状食品用包装体に係り、その特徴は、
シート状食品を巻き付けて食す棒状食品の包装部材として、前記シート状食品を収納した状態で前記棒状食品に巻装する分断可能な袋状体、及び、両端耳片部により前記棒状食品の両端部を包み込む帯状体を備える棒状食品用包装体において、
前記袋状体に収納した前記シート状食品と前記袋状体の外側面状部との間に前記帯状体を介装し、その帯状体の両端耳片部を前記袋状体の外部へ延出させてある点にある。
【００１２】
つまり、この構成によれば、シート状食品と袋状体の外側面状部との間に帯状体が介装されている（すなわち、帯状体がシート状食品の外側にある）ので、袋状体をシート状食品から取り除くだけで、容易、かつ、手早く棒状食品とシート状食品とが接触した状態を現出することができ、しかも、先述の図９及び図１０に示す従来例のように、帯状体を袋状体に対して溶着や接着等により連結する、また、帯状体に線状の切込みを形成するといったことも必要ないので、その製作コストも低廉化することができる。
また、先述の図１１及び図１２に示す従来例のもののように、帯状体が不測に外れ易いといったこともないので、棒状食品の両端部が開封前に露出してしまう恐れがなく、確実に棒状食品を良好な状態に維持することができる。
【００１３】
〔２〕請求項２に係る発明は、請求項１に係る発明の実施に好適な実施形態を特定するものであり、その特徴は、
前記袋状体の内側面状部を、袋状体分断時において相互離間させる２つの分割部分で形成してある点にある。
【００１４】
つまり、この構成によれば、袋状体の内側面状部を予め２つの分割部分で形成してあるので、袋状体を分断するのに、外側面状部を分断するだけで内側面状部の破断操作を要することなく、容易に袋状体を相互離間させることができる。
【００１５】
〔３〕請求項３に係る発明は、請求項２に係る発明の実施に好適な実施形態を特定するものであり、その特徴は、
前記内側面状部を形成する前記分割部分の分割縁部に、前記棒状食品の側へ折り返した状態で、前記分割部分の本体部と前記棒状食品との間に介在させる折り返し部を形成してある点にある。
【００１６】
つまり、この構成によれば、上記折り返し部を介在させた状態で、棒状食品が内側面状部を形成する分割部分の本体部に接当しているので、棒状食品が米飯等の粘着力のあるものからできている場合でも、内側面状部を形成する分割部分の本体部を折り返し部に沿わせた姿勢で折り返し部の先端側へ引き操作をすることにより、折り返し部をその基端側（折り返し線の側）から先端側へ向かい順次に剥離させる形態で棒状食品から引き剥がして、分割部分を取り外すことができ、これにより、折り返し部を設けていないもの（すなわち、粘着力のある棒状食品から分割部分を単純に引き剥がすもの）に比べ、軽い力で容易に内側面状部の分割部分を棒状食品から除去することができ、よって、一層容易に開封することができる。
【００１７】
〔４〕請求項４に係る発明は、請求項１〜３のいずれか１項に係る発明の実施に好適な実施形態を特定するものであり、その特徴は、
前記帯状体を、前記外側面状部とは非連結の状態で、袋状体分断時における前記外側面状部の分断予定箇所に対し重ね合わせる状態に配置してある点にある。
【００１８】
つまり、この構成によれば、袋状体を分断すると、その分断部分において帯状体が露呈するから、また、その帯状体は袋状体の外側面状部と非連結であるから、容易に帯状体を除去することができる。
また、場合によっては、シート状食品を巻装した棒状食品を把持する際に使用するナプキン等の受け体として帯状体を利用することもできて、棒状食品及びシート状食品に対する手指の接触を極力防止し、衛生的に棒状食品を食することができる。
【００１９】
〔５〕請求項５に係る発明は、請求項１〜３のいずれか１項に係る発明の実施に好適な実施形態を特定するものであり、その特徴は、
前記帯状体を、袋状体分断時における前記外側面状部の一方側の分断部分に連結した状態で、袋状体分断時における前記外側面状部の分断予定箇所に対し重ね合わせる状態に配置してある点にある。
【００２０】
つまり、この構成によれば、袋状体を分断すると、それに伴い外側面状部の一方側の分断部分とともに帯状体が除去される形態になって、帯状体の単体に対する専用の除去操作を不要にでき、よって、より一層容易で、かつ、手早く開封することができる。
【００２１】
〔６〕請求項６に係る発明は、請求項１〜３のいずれか１項に係る発明の実施に好適な実施形態を特定するものであり、その特徴は、
袋状体分断時において前記外側面状部における分断予定部分を切り取るための切取手段を前記外側面状部に装備し、
前記帯状体を、前記分断予定部分に連結した状態で、袋状体分断時における前記外側面状部の分断予定箇所に対し重ね合わせる状態に配置してある点にある。
【００２２】
つまり、この構成によれば、切取手段による外側面状部の分断予定部分の切取操作に伴って棒状食品の両端部を包み込んでいた帯状体を除去する形態となり、帯状体の単体に対する専用の除去操作を不要にでき、よって、より一層容易で、かつ、手早く開封することができる。
【００２３】
〔７〕請求項７に係る発明は、請求項２又は３に記載した棒状食品用包装体の開封方法に係り、その特徴は、
前記内側面状部を形成する前記２つの分割部分の分割線方向に沿う分断線方向で前記袋状体の外側面状部を分断して、前記袋状体を相互離間が自在な２つの分断部分に分断する第１ステップと、
これら分断部分を保持した状態で前記棒状食品の重量を前記袋状体の分断箇所に課すことにより、前記２つの分断部分を相互離間させて、その離間に伴い露出する前記シート状食品との接触状態で前記棒状食品を取り出す第２ステップとを有する点にある。
【００２４】
つまり、この方法によれば、第１ステップでは、内側面状部が予め２つの分割部分から形成されていることから、外側面状部を分断するだけで袋状体を２つの分断部分に分断することができ、続く第２ステップでは、第１ステップで分断された２つの分断部分を棒状食品の重量を利用して相互離間させるので、また、帯状体が棒状食品とシート状食品との間にあることで、棒状食品とシート状食品とが接触状態で取り出されるので、先述したような従来の棒状食品用包装体における開封方法に比べて少ない操作段階で、容易、かつ、すばやく袋状体及び帯状体を除去できて、シート状食品を棒状食品に接触させた開封状態を容易に現出することができる。
【００２５】
〔８〕請求項８に係る発明は、包装棒状食品に係り、その特徴は、
シート状食品を巻き付けて食す棒状食品に対し、前記シート状食品を収納した分断可能な袋状体を巻装するとともに、その棒状食品の両端部を帯状体の耳片部により包み込んである包装棒状食品において、
前記袋状体に収納した前記シート状食品と前記袋状体の外側面状部との間に前記帯状体を介装して、その帯状体の前記両端耳片部を前記袋状体の外部へ延出させた状態で、前記袋状体の内側面状部に対し前記棒状食品を当て付け、
その当て付け状態で、前記袋状体を前記棒状食品に巻装するとともに、前記棒状食品の両端部を前記両端耳片部により包み込んである点にある。
【００２６】
つまり、この構成によれば、シート状食品と袋状体の外側面状部との間に帯状体が介装された（すなわち、帯状体がシート状食品の外側にある）包装棒状食品となるので、袋状体をシート状食品から取り除くだけで、容易、かつ、手早く棒状食品とシート状食品とが接触した状態を現出することができ、しかも、先述の図９及び図１０に示す従来例のように、帯状体を袋状体に対して溶着や接着等により連結する、また、帯状体に線状の切込みを形成するといったことも必要ないので、包装コストを安価にすることができて、その分、包装棒状食品の製造コストを低廉化することができ、消費者に対して包装棒状食品を安価に提供することができる。
また、先述の図１１及び図１２に示す従来例のもののように、帯状体が不測に外れ易いといったこともないので、棒状食品の両端部が開封前に露出してしまう恐れがなく、確実に包装棒状食品を良好な状態に維持することができる。
【００２７】
〔９〕請求項９に係る発明は、請求項８に記載した包装棒状食品に係り、その特徴は、
前記袋状体の内側面状部を、袋状体分断時において相互離間させる２つの分割部分で形成するとともに、これら分割部分の分割縁部に前記棒状食品の側へ折り返し部を形成しておき、
前記当て付け状態において、この折り返し部を前記分割部分の本体部と前記棒状食品との間に介在させてある点にある。
【００２８】
つまり、この構成によれば、袋状体の内側面状部を予め２つの分割部分で形成してあるので、袋状体を分断するのに、外側面状部を分断するだけで内側面状部の破断操作を要することなく、容易に袋状体を相互離間させることができる。
そして、折り返し部を介在させた状態で、棒状食品が内側面状部を形成する分割部分の本体部に接当しているので、棒状食品が米飯等の粘着力のあるものからできている場合でも、内側面状部を形成する分割部分の本体部を折り返し部に沿わせた姿勢で折り返し部の先端側へ引き操作をすることにより、折り返し部をその基端側（折り返し線の側）から先端側へ向かい順次に剥離させる形態で棒状食品から引き剥がして、分割部分を取り外すことができ、これにより、折り返し部を設けていないもの（すなわち、粘着力のある棒状食品から分割部分を単純に引き剥がすもの）に比べ、軽い力で容易に内側面状部の分割部分を棒状食品から除去することができ、よって、一層容易に開封することができる。
【００２９】
【発明の実施の形態】
図１〜図５は、本発明の実施形態における包装棒状食品の一例である手巻寿司Ｃの包装体Ａを示し、シート状食品である海苔２を乾燥させた状態に維持するためにその海苔２を収容してある袋状体１と、棒状に成形された酢飯３の両端部を外気と遮断するように包み込む両端耳片部４ａを備えた帯状体である帯フィルム４とから構成されている。
【００３０】
袋状体１は、外側面状部である直線カット性フィルム製の外面フィルム５と、酢飯３と接触する内側面状部である内側フィルム６を構成する２枚の分割フィルム６Ａとから形成されている。
【００３１】
外面フィルム５は、その長辺５ａの中央位置で外面フィルム短辺方向を分断線方向として分断可能に形成され、それの両長辺５ａそれぞれの相対向する２箇所に外面フィルム５を分断する切取手段としての切欠部５ｂが設けられていて、それら４箇所の切欠部５ｂに囲まれた外面フィルム５の分断予定部分である切り離し部分５Ｂを分断線方向（外面フィルム短辺方向）に引くだけで、外面フィルム５を２つの分断フィルム５Ａに分断することができる。
【００３２】
２枚の分割フィルム６Ａは、それぞれ外面フィルム５の長辺方向両側に分かれて外面フィルム５に対し重合した状態で、切り離し部分５Ｂを除く外面フィルム５の周縁に沿って熱融着されていて、外面フィルム５と分割フィルム６Ａとの間に海苔２を収容している。
【００３３】
つまり、４箇所の切欠部５ｂに囲まれた切り離し部分５Ｂを分断線方向に引いて外面フィルム５を分断するだけで、袋状体１を相互離間可能な２つの分断袋部１Ａに分断することができる。
【００３４】
また、分割フィルム６Ａには、両分割フィルム６Ａの分割縁部（外面フィルム長辺方向における内方側縁部）を酢飯３が位置する側に折り返した折り返し部６ａが形成され、この折り返し部６ａが分割フィルム６Ａの本体部と酢飯３との間に介装する形態となり、これによって、分割フィルム６Ａの本体部を折り返し部６ａに沿わせた姿勢で折り返し部６ａの先端側へ引き操作をすることにより、折り返し部６ａをその基端側から先端側へ向かい順次に剥離させる形態で酢飯３から引き剥がすことができ、分割フィルム６Ａをそれと接触状態にある酢飯３から容易に除去することができる。
【００３５】
帯フィルム４は、外面フィルム５に形成された４箇所の切欠部５ｂに囲まれた外面フィルム５の切り離し部分５Ｂと海苔２との間に、外面フィルム５のいずれの部分とも非連結の状態で袋状体１の短辺方向に沿う形態で介装されているとともに、帯フィルム４の両端部は、棒状に成形された酢飯３の両端部を外気と遮断するように包み込む両端耳片部４ａとして、袋状体１からその短辺方向に延出した状態になっている。
【００３６】
酢飯３に対して巻装させた状態にある包装体Ａの包装構造を説明すると、外面フィルム５と海苔２との間に帯フィルム４を介装し、帯フィルム４の両端耳片部４ａを酢飯３の両端を折り曲げて包みこんである袋状体１を、具材を内包した棒状の酢飯３に対して分割フィルム６Ａを当てつける形態で巻装し、その巻装状態を維持するために袋状体１の長手方向一端部を袋状体１の長手方向他端側にシール材Ｓで貼止して包装している。
【００３７】
次に、図４及び５に基づき、包装体Ａの開封方法を説明する。
【００３８】
まず、第１ステップとして、酢飯３を巻装している袋状体１を片手に持ち、袋状体１の外面フィルム５の切取手段である４箇所に形成された切欠部５ｂに囲まれた外面フィルム５の切り離し部分５Ｂを指で摘んで分断線方向に引くことで外面フィルム５を２つの分断フィルム５Ａに分断して、袋状体１を２つの分断袋部１Ａにする。
【００３９】
そして、シール材Ｓを剥がして、袋状体１の酢飯３に対する巻装維持状態を解除する。
【００４０】
次に第２ステップとして、２つに分断された各分断袋部１Ａの非分断線側端部（すなわち、袋状体長手方向における分断線側とは反対側にある分断フィルム５Ａと分割フィルム６Ａとを熱融着させてある部分）を片方の手の指で摘んで軽く揺動させ、酢飯３の重量を利用して分断された分断袋部１Ａの相互離間させることにより、酢飯３と海苔２と帯フィルム４とをその順に接触させた状態でもう一方の手に脱落させる。
なお、この時、海苔２に接触してある帯フィルム４を除去してもよく、帯フィルム４を把持するための受け体として利用することもできる。
【００４１】
〔別の実施形態〕
次に別実施形態を列記する。
【００４２】
上述の実施形態では、棒状食品としての酢飯３と、シート状食品としての海苔２とから構成される手巻寿司Ｃを棒状食品として採用したがこれに限るものではなく、棒状食品として棒状にロールさせたパンと、シート状食品としてのスライスチーズとから構成されるロールサンドなど、種々の棒状食品であってもよい。
【００４３】
上述の実施形態では、内側面状部である内側フィルム６が２枚の分割フィルム６Ａから構成されていたが、内側フィルム６は、破断線を備えた１枚のフィルムを採用し、袋状体分断時に破断させる構成にしてもよい。
【００４４】
また、２枚の分割フィルム６Ａの分割縁部に折り返し部６ａを形成したが、２枚の分割フィルム６Ａを重ねただけのものやその他種々の構成のものでもよく、折り返し部６ａを形成した構成に限るものではない。
【００４５】
上述の実施形態では、外面フィルム５の長辺部のそれぞれの相対向する位置の計４箇所に切欠部５ｂを設けて切取手段を構成したが、切取手段としてはカットテープやその他種々の切取手段を採用してもよい。
【００４６】
上述の実施形態では、棒状食品である酢飯３の両端部を包み込む帯状体である帯フィルム４を、外面フィルム５に非連結の状態で海苔２と外面フィルム５との間に外面フィルム５の切り離し部分５Ｂに対して重ね合わせるように介装して構成してあるが、図６に示すように、分断される外面フィルム５の一方側の分断部分（すなわち、分断された際の一方側の分断袋部１Ａの外面フィルム５）に溶着又は接着等７により連結した状態で、海苔２と外面フィルム５との間に外面フィルム５の切り離し部分５Ｂに対し重ね合わせるように介装して構成してもよい。
そして、このように構成することで、切欠部５ｂにおける外面フィルム５の切り離し部分５Ｂの切り離し操作により２つに分断された分断袋部１Ａの相互離間操作において、一方側の分断袋部１Ａとともに帯フィルム４が除去される。
【００４７】
また、図７及び図８に示すように、外面フィルム５の切り離し部分５Ｂ（すなわち、分断予定部分）を、棒状食品である酢飯３の両端部を包み込む帯フィルム４の一部に対して溶着又は接着等７により連結してある構成にしてもよい。
そして、このように構成することで、切欠部５ｂにおける外面フィルム５の切り離し部分５Ｂの切り離し操作に伴って、それと連結されている帯フィルム４が除去される。
【００４８】
上記実施形態における包装体Ａの開封方法では、第１ステップの後でシール体Ｓを剥がすようになっているが、シール体Ｓを剥がす行程は第１ステップに先立って行なってもよい。
【図面の簡単な説明】
【図１】本発明の第１実施形態の分解斜視図
【図２】展開斜視図
【図３】手巻寿司を巻装した状態にある包装体の斜視図
【図４】開封時における包装体の構造図
【図５】開封方法を示す斜視図
【図６】別実施形態の包装体を示す構造図、及び、開封時におけるその構造図
【図７】別実施形態の包装体を示す構造図
【図８】別実施形態における開封方法を示す斜視図
【図９】従来の包装体を示す簡略構造図
【図１０】開封時における従来の包装体の構造図
【図１１】従来の包装体を示す簡略構造図
【図１２】開封時における従来の包装体の構造図
【符号の説明】
１    袋状体
２    シート状食品
３    棒状食品
４    帯状体
４ａ    両端耳片部
５    外側面状部
５Ａ    分断部分
５Ｂ    分断予定部分
５ｂ    切取手段
６    内側面状部
６Ａ    分割部分
６ａ    折り返し部
Ａ    棒状食品用包装体
Ｃ    包装棒状食品
【図１】
2004290059.tif 000003
【図２】
2004290059.tif 000004
【図３】
2004290059.tif 000005
【図４】
2004290059.tif 000006
【図５】
2004290059.tif 000007
【図６】
2004290059.tif 000008
【図７】
2004290059.tif 000009
【図８】
2004290059.tif 000010
【図９】
2004290059.tif 000011
【図１０】
2004290059.tif 000012
【図１１】
2004290059.tif 000013
【図１２】
2004290059.tif 000014